(57)【要約】      （修正有）【課題】少ない種類の部品点数で隙間を生じさせることなく、また手間を要せずにサイドカバーを回動して任意の位置で固定可能とする。【解決手段】ロータリカバーにサイドカバーを連結する連結部材を、略矩形の金属板の一側縁に切込みを設け、それぞれ等間隔の幅を備える凸部と凹部とを交互に左右対称に形成するとともに、前記凸部は半円筒状に折曲げて爪状に形成し、ロータリカバーおよびサイドカバーの側縁部に前記連結部材を締付け力調整可能に取付けて、それぞれのカバーの側縁部から突出させる爪状片を互い違いに軸芯棒に挟着した。また、軸芯棒は、ロータリカバーおよびサイドカバーの端縁部に臨む位置に配置し、連結部材を取付ける両方のカバーの側縁部は、軸芯棒の長さと径に合わせて切欠いた。【選択図】図２
0003105598.tif 000002
【実用新案登録請求の範囲】
【請求項１】
ロータの上方を覆うロータリカバーの左右側方に、連結部材を介してサイドカバーを連結して回動自在に構成したロータリ作業機において、
前記連結部材は、略矩形の金属板の一側縁に切込みを設けて、それぞれ等間隔の幅を備える凸部と凹部とを交互に形成して左右対称に配置するとともに、前記凸部を半円筒状に折曲げて爪状片を形成してなり、
しかして、前記ロータリカバーおよび前記サイドカバーの側縁部に前記連結部材を締付け力調整可能に取付けて、それぞれのカバーの側縁部から突出する前記爪状片を互い違いにして軸芯棒を挟着したことを特徴とするカバー装置。
【請求項２】
前記軸芯棒は、前記連結部材によって前記ロータリカバーおよび前記サイドカバーの端縁部に臨む位置に配置したことを特徴とする請求項１記載のカバー装置。
【請求項３】
前記連結部材を取付けるロータリカバーとサイドカバーの側縁部を、軸芯棒の長さと径に合わせて切欠いたことを特徴とする請求項１記載のカバー装置。
【考案の詳細な説明】
【技術分野】
【０００１】
本考案は、ロータリ作業機のカバー装置に関する。詳細には、耕耘爪により掻き上げられた土の左右側方への飛散位置を調節するためのサイドカバーのロータリカバーへの連結部材を改良したロータリ作業機のカバー装置に関する。
【背景技術】
【０００２】
耕耘爪の上方を覆うロータリカバーの左右側方にサイドカバーを連結して、前後方向を軸としてロータリカバーに対して回動自在に構成し、耕耘爪によって掻き上げた土をロータリカバーによって案内させて、サイドカバーによって土の飛散位置を調節させるロータリ作業機はすでに存在している（特許文献１）。
【０００３】
従来のロータリ作業機では、耕耘爪上方のロータリカバーの上面側縁部に形成したボス部にＬ字型に形成した連結部材の軸部を遊嵌固定し、連結杆部をサイドカバーと取付金具とで挟んでボルト等で固定して、ロータリカバーに対しサイドカバーを回動可能かつ接近摺動可能に構成していた。しかし、上記のような構成ではサイドカバーを回動するとロータリカバーとサイドカバーとの間の隙間の幅が変化するため、サイドカバーを接近摺動して隙間を調整していたが、手間がかかるし、また部品点数も多くなってしまっていた。
【特許文献１】実開平１−４３６０３号公報
【考案の開示】
【考案が解決しようとする課題】
【０００４】
解決しようとする問題点は、ロータリカバーに対してサイドカバーを回動させた際に隙間が生じてしまい、隙間をなくすための調整に手間がかかっていた点であり、本考案は少ない種類の部品点数で隙間を生じさせることなく、また手間を要せずにサイドカバーを回動して任意の位置で固定可能とすることを目的としてなされたものである。
【課題を解決するための手段】
【０００５】
本考案は、請求項１記載のごとく、ロータの上方を覆うロータリカバーの左右側方に、連結部材を介してサイドカバーを連結して回動自在に構成したロータリ作業機において、  前記連結部材は、略矩形の金属板の一側縁に切込みを設けて、それぞれ等間隔の幅を備える凸部と凹部とを交互に形成して左右対称に配置するとともに、前記凸部を半円筒状に折曲げて爪状片を形成してなり、しかして、前記ロータリカバーおよび前記サイドカバーの側縁部に前記連結部材を締付け力調整可能に取付けて、それぞれのカバーの側縁部から突出する前記爪状片を互い違いにして軸芯棒を挟着した。
【０００６】
請求項２記載のごとく、前記軸芯棒は、前記取付金具によって前記ロータリカバーおよび前記サイドカバーの端縁部に臨む位置に配置した。
【０００７】
請求項３記載のごとく、前記取付部材を取付けるロータリカバーとサイドカバーの側縁部を、軸芯棒の長さや径に合わせて切欠いた。
【考案の効果】
【０００８】
請求項１記載のごとく連結部材を構成することにより、同型の取付金具を４枚用意すれば、サイドカバーを回動自在に構成できるとともに任意の位置で固定することができ、金型が一つで済むためコストの低減を図ることができる。
【０００９】
請求項２記載のごとく軸芯棒を配置したことにより、回動中心がロータリカバーおよびサイドカバーの端縁近傍に位置するため、サイドカバーの回動によってロータリカバーとサイドカバーとの間に大きく隙間が生じることがない。
【００１０】
請求項３記載のごとく、連結部を取付けるロータリカバーとサイドカバーの側縁部を切欠いたことにより、ロータリカバーとサイドカバーの間に生じる隙間をより狭くすることができる。
【考案を実施するための最良の形態】
【００１１】
第１図は本考案に係る管理作業機１の側面図、第２図はロータリ作業機４の斜視図、第３図は取付金具１２の斜視図、第４図はロータリカバー１０とサイドカバー１１との連結部の断面図、第５図はロータリカバー１０とサイドカバー１１との連結部の第２実施例の断面図を示している。
【００１２】
管理作業機１はエンジンベース２にエンジン３を搭載し、このエンジン３によって前後位置に配置されたロータリ作業機４と走行輪５を駆動してハンドル６により操縦する。機体前方には機体の姿勢を保持する保持輪７が設けられており、保持輪７の高さを変えることでロータリ作業機４による作業深さを調節することができる。
【００１３】
ロータリ作業機４には土の飛散防止や飛散位置調節のためのロータリカバー１０とサイドカバー１１が設けられている。ロータリカバー１０とサイドカバー１１は取付金具１２と軸芯棒１３によって連結されており、サイドカバー１１は前後方向を軸としてロータリカバー１０に対して回動可能に構成されている。
【００１４】
取付金具１２は略長方形状の板状部１４を有し、その長辺の一側縁に半円筒形状の爪状部１５を複数並べて配置して形成する。爪状部１５間の間隔は少なくとも爪状部１５の長さと同じかそれよりも長くする。また、板状部１４にはボルト穴１６を設ける。
【００１５】
この取付金具１２をロータリカバー１０およびサイドカバー１１の側縁部にボルト１８を用いて取付け、爪状部１５は側方に突出するとともに向い合せになるように配置する。ロータリカバー１０およびサイドカバー１１に取付けたそれぞれの取付金具１２の爪状部１５が互い違いになるようにして爪状部１５を軸芯棒１３に取付け、ロータリカバー１０とサイドカバー１１を回動可能に連結する。また、それぞれのカバーの取付金具１２の取付位置には、軸芯棒１３の長さと略半径分の奥行きを備える切欠き部１７を設ける。
【００１６】
このとき取付金具１２は、第４図に示すようにロータリカバー１０やサイドカバー１１を挟むように外面と内面に取付けても良いし、第５図に示すようにカバーの片面側に取付けても良い。
【００１７】
取付金具１２の爪状部１５は長辺方向略中央に対して左右対称に配置されているため、同型の取付金具１２を向い合せにして軸芯棒１３を握着することができ、ロータリカバー１０とサイドカバー１１の連結に部品点数や部品の種類が少なく済むためコストの低減を図れる。また、ボルト１８により取付金具１２を固定しているため、ボルト１８を締めたり緩めたりして軸芯棒１３の挟み圧を調整し、サイドカバー１１を回動自在で任意の位置に固定可能な適度な締着状態にすることができる。
【００１８】
また、取付金具１２をロータリカバー１０とサイドカバー１１の側縁部に取付けて軸芯棒１３に軸着しているため、回動中心となる軸芯棒１３がロータリカバー１０とサイドカバー１１の端縁近傍に位置し、サイドカバー１１の回動によって両カバーの間に大きな隙間が生じることがない。さらに、ロータリカバー１０およびサイドカバー１１の取付金具１２の取付部分に切欠き部１７を設けたことにより、ロータリカバー１０とサイドカバー１１の間に生じる隙間はきわめて小さいものとなり、土などが飛散することがない。
【図面の簡単な説明】
【００１９】
【図１】本考案に係る管理作業機の側面図。
【図２】ロータリ作業機の斜視図。
【図３】取付金具の斜視図。
【図４】連結部の断面図。
【図５】連結部の第２実施例の断面図。
【符号の説明】
【００２０】
１    管理作業機
２    エンジンベース
３    エンジン
４    ロータリ作業機
５    走行輪
６    ハンドル
７    保持輪
１０  ロータリカバー
１１  サイドカバー
１２  取付金具
１３  軸芯棒
１４  板状部
１５  爪状部
１６  ボルト穴
１７  切欠き部
１８  ボルト
【図１】
0003105598.tif 000003
【図２】
0003105598.tif 000004
【図３】
0003105598.tif 000005
【図４】
0003105598.tif 000006
【図５】
0003105598.tif 000007